【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
複数の画像の中から画像を抽出する画像抽出方法であって、
ユーザの操作に応じて前記複数の画像の中から抽出すべき画像の数を設定する設定ステップと、
前記複数の画像に対してユーザにより設定された評価を認識する認識ステップと、
前記認識した評価に基づいて前記複数の画像の中から前記設定された数の画像を抽出する抽出ステップと
を有することを特徴とする画像抽出方法。
【請求項２】
複数の画像の中から画像を抽出する画像抽出方法であって、
前記複数の画像の中から抽出すべき画像の数を設定する設定ステップと、
前記複数の画像に対してユーザにより設定された評価を認識する認識ステップと、
前記複数の画像の中から、前記認識した評価が高い方から前記設定された数の画像を抽出する抽出ステップと
を有することを特徴とする画像抽出方法。
【請求項３】
複数の画像の中から画像を抽出する画像抽出装置であって、
ユーザの操作に応じて前記複数の画像の中から抽出すべき画像の数を設定する設定装置と、
前記複数の画像に対してユーザにより設定された評価を認識する認識装置と、
前記認識した評価に基づいて前記複数の画像の中から前記設定された数の画像を抽出する抽出装置と
を有することを特徴とする画像抽出装置。
【請求項４】
複数の画像の中から画像を抽出する画像抽出装置であって、
前記複数の画像の中から抽出すべき画像の数を設定する設定装置と、
前記複数の画像に対してユーザにより設定された評価を認識する認識装置と、
前記複数の画像の中から、前記認識した評価が高い方から前記設定された数の画像を抽出する抽出装置と
を有することを特徴とする画像抽出装置。
【請求項５】
前記抽出された画像をフォトアルバムの各ページに配置することにより当該フォトアルバムを作成するアルバム作成装置をさらに備えることを特徴とする請求項３又は４記載の画像抽出装置。
【請求項６】
前記アルバム作成装置は、前記認識された評価に基づいて、前記抽出された画像を各ページに配置することにより前記フォトアルバムの作成を行うことを特徴とする請求項５記載の画像抽出装置。
【請求項７】
前記複数の画像を複数のグループに分割する分割装置をさらに備え、前記抽出装置は、前記分割された各グループに属する画像の中から少なくとも１つの画像を抽出し、全グループ通算で前記設定装置で設定された数に達するまで前記画像の抽出を実行することを特徴とする請求項３乃至６のいずれか１項に記載の画像抽出装置。
【請求項８】
前記分割装置は、前記複数の画像の各々に対して属すべきグループを指定することによって前記分割を行うことを特徴とする請求項７記載の画像抽出装置。
【請求項９】
前記分割装置は、前記画像の作成時刻に基づいて前記分割を行うことを特徴とする請求項７記載の画像抽出装置。
【請求項１０】
前記分割された各グループから抽出すべき画像の抽出数を入力する抽出数入力装置をさらに備えることを特徴とする請求項７乃至９のいずれか１項に記載の画像抽出装置。
【請求項１１】
前記分割された各グループから抽出された画像をフォトアルバムの各ページに配置することにより当該フォトアルバムを作成するアルバム作成装置をさらに備えることを特徴とする請求項７乃至１０のいずれか１項に記載の画像抽出装置。
【請求項１２】
前記アルバム作成装置は、前記認識された評価に基づいて、前記分割されたグループから抽出された画像を各ページに配置することにより前記フォトアルバムの作成を行うことを特徴とする請求項１１記載の画像抽出装置。
【請求項１３】
前記アルバム作成装置は、前記分割されたグループに基づいて、前記抽出された画像を前記ページに配置することにより前記フォトアルバムの作成を行うことを特徴とする請求項１１又は１２記載の画像抽出装置。
【請求項１４】
前記複数の画像に対するユーザからの評価の設定入力を受け付ける評価入力装置を更に有し、
前記認識装置は、前記評価入力装置で受け付けた設定入力に基づいて前記評価を認識することを特徴とする請求項３乃至１３のいずれか１項に記載の画像抽出装置。
【請求項１５】
前記評価入力装置は、前記複数の画像に対する評価を１つの画像毎に順次入力することを特徴とする請求項１４記載の画像抽出装置。
【請求項１６】
前記評価入力装置は、前記評価の入力を時系列順に行うことを特徴とする請求項１４記載の画像抽出装置。
【請求項１７】
前記評価入力装置は、上記評価に加えて、処理すべき画像補正を含む画像加工の指示を入力することを特徴とする請求項１４乃至１６のいずれか１項に記載の画像抽出装置。
【請求項１８】
前記評価入力装置は、更に、最高評価と最低評価の間の中間評価値を初期評価値として入力することを特徴とする請求項１４乃至１７のいずれか１項に記載の画像抽出装置。
【請求項１９】
前記抽出装置は、前記認識した評価が、特定の評価より低い画像は、画像抽出数が前記設定された数に達しなくとも抽出しないことを特徴とする請求項３乃至１８のいずれか１項に記載の画像抽出装置。
【請求項２０】
複数の画像の中から画像を抽出する画像抽出方法をコンピュータに実行させるプログラムであって、前記画像抽出方法は、
ユーザの操作に応じて前記複数の画像の中から抽出すべき画像の数を設定する設定ステップと、
前記複数の画像に対してユーザにより設定された評価を認識する認識ステップと、
前記認識した評価に基づいて前記複数の画像の中から前記設定された数の画像を抽出する抽出ステップと
を備えることを特徴とするプログラム。
【請求項２１】
複数の画像の中から画像を抽出する画像抽出方法をコンピュータに実行させるプログラムであって、前記画像抽出方法は、
前記複数の画像の中から抽出すべき画像の数を設定する設定ステップと、
前記複数の画像に対してユーザにより設定された評価を認識する認識ステップと、
前記複数の画像の中から、前記認識した評価が高い方から前記設定された数の画像を抽出する抽出ステップと
を備えることを特徴とするプログラム。
【請求項２２】
複数の画像の中から画像を抽出する画像抽出方法をコンピュータに実行させるプログラムを格納したコンピュータで読み取り可能な記録媒体であって、前記画像抽出方法は、
ユーザの操作に応じて前記複数の画像の中から抽出すべき画像の数を設定する設定ステップと、
前記複数の画像に対してユーザにより設定された評価を認識する認識ステップと、
前記認識した評価に基づいて前記複数の画像の中から前記設定された数の画像を抽出する抽出ステップと
を有することを特徴とする記録媒体。
【請求項２３】
複数の画像の中から画像を抽出する画像抽出方法をコンピュータに実行させるプログラムを格納したコンピュータで読み取り可能な記録媒体であって、前記画像抽出方法は、
前記複数の画像の中から抽出すべき画像の数を設定する設定ステップと、
前記複数の画像に対してユーザにより設定された評価を認識する認識ステップと、
前記複数の画像の中から、前記認識した評価が高い方から前記設定された数の画像を抽出する抽出ステップと
を有することを特徴とする記録媒体。
【手続補正２】
【補正対象書類名】明細書
【補正対象項目名】発明の名称
【補正方法】変更
【補正の内容】
【発明の名称】画像抽出方法、該方法をコンピュータに実行させるプログラム及び該プログラムを格納した記録媒体並びに画像抽出装置
【手続補正３】
【補正対象書類名】明細書
【補正対象項目名】０００１
【補正方法】変更
【補正の内容】
【０００１】
本発明は、画像抽出方法、該方法をコンピュータに実行させるプログラム及び該プログラムを格納した記録媒体並びに画像抽出装置に関し、特に、複数の画像の中から所定数の画像を抽出する画像抽出方法、該方法をコンピュータに実行させるプログラム及び該プログラムを格納した記録媒体並びに画像抽出装置に関する。
【手続補正４】
【補正対象書類名】明細書
【補正対象項目名】００１２
【補正方法】変更
【補正の内容】
【００１２】
本発明の目的は、大量の画像の中から所定数の画像を効率的に抽出して、ユーザの操作性を向上させることができる画像抽出方法、該方法をコンピュータに実行させるプログラム及び該プログラムを格納した記録媒体並びに画像抽出装置を提供することにある。
【手続補正５】
【補正対象書類名】明細書
【補正対象項目名】００１３
【補正方法】変更
【補正の内容】
【００１３】
上記目的を達成するために、請求項１記載の画像抽出方法は、複数の画像の中から画像を抽出する画像抽出方法であって、ユーザの操作に応じて前記複数の画像の中から抽出すべき画像の数を設定する設定ステップと、前記複数の画像に対してユーザにより設定された評価を認識する認識ステップと、前記認識した評価に基づいて前記複数の画像の中から前記設定された数の画像を抽出する抽出ステップとを有することを特徴とする。
また、請求項２記載の画像抽出方法は、複数の画像の中から画像を抽出する画像抽出方法であって、前記複数の画像の中から抽出すべき画像の数を設定する設定ステップと、前記複数の画像に対してユーザにより設定された評価を認識する認識ステップと、前記複数の画像の中から、前記認識した評価が高い方から前記設定された数の画像を抽出する抽出ステップとを有することを特徴とする。
【手続補正６】
【補正対象書類名】明細書
【補正対象項目名】００２６
【補正方法】変更
【補正の内容】
【００２６】
上記目的を達成するために、請求項３記載の画像抽出装置は、複数の画像の中から画像を抽出する画像抽出装置であって、ユーザの操作に応じて前記複数の画像の中から抽出すべき画像の数を設定する設定装置と、前記複数の画像に対してユーザにより設定された評価を認識する認識装置と、前記認識した評価に基づいて前記複数の画像の中から前記設定された数の画像を抽出する抽出装置とを有することを特徴とする。
また、請求項４記載の画像抽出装置は、複数の画像の中から画像を抽出する画像抽出装置であって、前記複数の画像の中から抽出すべき画像の数を設定する設定装置と、前記複数の画像に対してユーザにより設定された評価を認識する認識装置と、前記複数の画像の中から、前記認識した評価が高い方から前記設定された数の画像を抽出する抽出装置とを有することを特徴とする。
上記目的を達成するために、請求項２０記載のプログラムは、複数の画像の中から画像を抽出する画像抽出方法をコンピュータに実行させるプログラムであって、前記画像抽出方法は、ユーザの操作に応じて前記複数の画像の中から抽出すべき画像の数を設定する設定ステップと、前記複数の画像に対してユーザにより設定された評価を認識する認識ステップと、前記認識した評価に基づいて前記複数の画像の中から前記設定された数の画像を抽出する抽出ステップとを備えることを特徴とする。
また、請求項２１記載のプログラムは、複数の画像の中から画像を抽出する画像抽出方法をコンピュータに実行させるプログラムであって、前記画像抽出方法は、前記複数の画像の中から抽出すべき画像の数を設定する設定ステップと、前記複数の画像に対してユーザにより設定された評価を認識する認識ステップと、前記複数の画像の中から、前記認識した評価が高い方から前記設定された数の画像を抽出する抽出ステップとを備えることを特徴とする。
上記目的を達成するために、請求項２２記載の記録媒体は、複数の画像の中から画像を抽出する画像抽出方法をコンピュータに実行させるプログラムを格納したコンピュータで読み取り可能な記録媒体であって、前記画像抽出方法は、ユーザの操作に応じて前記複数の画像の中から抽出すべき画像の数を設定する設定ステップと、前記複数の画像に対してユーザにより設定された評価を認識する認識ステップと、前記認識した評価に基づいて前記複数の画像の中から前記設定された数の画像を抽出する抽出ステップとを有することを特徴とする。
また、請求項２３記載の記録媒体は、複数の画像の中から画像を抽出する画像抽出方法をコンピュータに実行させるプログラムを格納したコンピュータで読み取り可能な記録媒体であって、前記画像抽出方法は、前記複数の画像の中から抽出すべき画像の数を設定する設定ステップと、前記複数の画像に対してユーザにより設定された評価を認識する認識ステップと、前記複数の画像の中から、前記認識した評価が高い方から前記設定された数の画像を抽出する抽出ステップとを有することを特徴とする。
【手続補正７】
【補正対象書類名】明細書
【補正対象項目名】００２７
【補正方法】変更
【補正の内容】
【００２７】
本発明によれば、複数の画像に対する評価を入力し、入力された評価に基づいて複数の画像の中から所定数の画像を抽出するので、大量の画像の中から所定数の画像を効率的に抽出して、ユーザの操作性を向上させることができる。
【手続補正８】
【補正対象書類名】明細書
【補正対象項目名】００２８
【補正方法】変更
【補正の内容】
【００２８】
請求項１５記載の画像抽出装置によれば、複数の画像に対する評価を１つの画像毎に順次入力するので、画像を他の画像と見比べることがなくなり、抽出すべき画像を適切に抽出することができる。
【手続補正９】
【補正対象書類名】明細書
【補正対象項目名】００２９
【補正方法】変更
【補正の内容】
【００２９】
請求項１６記載の画像抽出装置によれば、時系列順に評価を入力するので、ユーザは、一連する複数の画像の撮影された順番を思い出しながら評価を入力することができる。
【手続補正１０】
【補正対象書類名】明細書
【補正対象項目名】００３０
【補正方法】変更
【補正の内容】
【００３０】
請求項１７記載の画像抽出装置によれば、上記評価に加えて、処理すべき画像補正を含む画像加工を入力するので、評価の入力と共に、例えばトリミング、回転等の画像加工を抽出された画像に施すことができ、ユーザの操作性をより向上させることができる。
【手続補正１１】
【補正対象書類名】明細書
【補正対象項目名】００３３
【補正方法】変更
【補正の内容】
【００３３】
請求項７記載の画像抽出装置によれば、複数の画像を複数のグループに分割し、分割された各グループに属する画像の中から少なくとも１つの画像を抽出し、所定数に達するまで画像の抽出を実行するので、フォトアルバム作成に必要な枚数の画像を容易に抽出することができ、ユーザの操作性をより向上させることができる。
【手続補正１２】
【補正対象書類名】明細書
【補正対象項目名】００３５
【補正方法】変更
【補正の内容】
【００３５】
請求項９記載の画像抽出装置によれば、画像の作成時刻に基づいて分割を行うので、ユーザは、一連する複数の画像の撮影された日時を思い出しながら評価を入力することができる。